(57)【要約】      （修正有）【課題】衣服や布製のバッグ、帽子などの商品に添付してブランド名などを表示するために用いる布製ラベルに関し、単一色の布地の表面を主領域、副領域に区分することによって、織りネーム、プリントネームの各特長を生かしながら、商品の製造時の煩雑性を有効に排除することができる布製ラベルを提供する。【解決手段】細幅の布地１０の表面を主領域１１、副領域１２に区分し、主領域１１には、ジャカードによる図柄Ａを織り出し、副領域１２には、印刷により図柄Ｂを表示する。【選択図】図１
0003122534.tif 000002
【実用新案登録請求の範囲】
【請求項１】
単一色の細幅の布地の表面を主領域、副領域に区分してなり、前記主領域には、前記布地と異なる色彩の緯糸を使用してジャカードにより図柄を織り出し、前記副領域には、印刷により図柄を表示することを特徴とする布製ラベル。
【請求項２】
前記主領域、副領域は、前記布地の縦方向に配置することを特徴とする請求項１記載の布製ラベル。
【請求項３】
前記主領域、副領域は、前記布地の横方向に配置することを特徴とする請求項１記載の布製ラベル。
【請求項４】
前記主領域、副領域は、少なくとも一方を複数設けることを特徴とする請求項１ないし請求項３のいずれか記載の布製ラベル。
【考案の詳細な説明】
【技術分野】
【０００１】
この考案は、たとえば衣服や布製のバッグ、帽子などの商品に添付してブランド名などを表示するために用いる布製ラベルに関する。
【背景技術】
【０００２】
衣服やバッグ、帽子などの布製品には、布製ラベルが添付されている。
【０００３】
布製ラベルには、ジャカードにより布地上に任意の図柄を織り出す、いわゆる織りネームと、印刷により任意の図柄を表示する、いわゆるプリントネームとがあり、前者は、図柄のボリューム感があり、高級感があるが、微細な線や模様などの表現が困難である一方、後者は、微細な文字等の表現も自在であるが、高級感に乏しく、印象が貧弱である（特許文献１、２）。そこで、織りネームは、商品のブランド名などを表示するのに好適であり、プリントネームは、たとえば使用時、洗濯時の注意事項や、原産地、メーカ名などの細かい文字情報を表示するのに適している。ただし、この明細書において、図柄とは、文字、図形、記号、模様、色彩の少なくともいずれかを含む任意の組合せをいうものとする。
【特許文献１】特開昭５７−１０６７６８号公報
【特許文献２】特開２００４−３３９６５９号公報
【考案の開示】
【考案が解決しようとする課題】
【０００４】
かかる従来技術によるときは、織りネーム、プリントネームは、それぞれの得失があるため、各商品について、たとえばブランド名と、使用時の注意事項などの文字情報とを表示するために両者を個別に添付しなければならず、極めて煩雑であるという問題があった。
【０００５】
そこで、この考案の目的は、かかる従来技術の問題に鑑み、単一色の布地の表面を主領域、副領域に区分することによって、織りネーム、プリントネームの各特長を生かしながら、商品の製造時の煩雑性を有効に排除することができる布製ラベルを提供することにある。
【課題を解決するための手段】
【０００６】
かかる目的を達成するためのこの考案の構成は、単一色の細幅の布地の表面を主領域、副領域に区分してなり、主領域には、布地と異なる色彩の緯糸を使用してジャカードにより図柄を織り出し、副領域には、印刷により図柄を表示することをその要旨とする。
【０００７】
なお、主領域、副領域は、布地の縦方向に配置してもよく、布地の横方向に配置してもよい。
【０００８】
また、主領域、副領域は、少なくとも一方を複数設けることができる。
【考案の効果】
【０００９】
かかる考案の構成によるときは、布地の表面に区分して設定する主領域、副領域には、それぞれジャカードにより織り出される図柄、印刷により表示される図柄が配置され、前者は、高級感に富み、後者は、細かい文字情報等の表示に適する。そこで、たとえば商品のブランド名と、使用時の注意事項などの細かい文字情報とを表示する場合であっても、ブランド名を主領域に配置し、細かい文字情報を副領域に配置することにより、１枚の布製ラベルにまとめて商品に添付することができ、両者を個別の布製ラベルとして添付するときの煩雑性を一掃することができる。
【００１０】
主領域、副領域は、布地の縦方向、横方向のいずれに配置してもよく、両者は、同大として布地の全面積を等分してもよく、異なる大きさとして布地の全面積を適当に案分してもよい。ただし、「縦方向」とは、布地の経糸の配列方向をいい、「横方向」とは、布地の緯糸の配列方向をいうものとする。なお、主領域、副領域を布地の横方向に配置する場合、主領域の図柄を形成する緯糸は、シャットルを使用して図柄の範囲内で左右に折り返しながら連続させて緯入れし、少なくとも副領域の裏面側にまで及ばないようにすることが好ましい。主領域の図柄用の緯糸が副領域の裏面側に存在すると、印刷により副領域に表示する図柄の鮮明度を損うおそれがあるからである。また、主領域、副領域の境界は、単なる仮想線に留め、必ずしも目視可能にする必要はない。ただし、アイロン掛けによって布製ラベルを折り曲げ加工するときは、両者の境界を折り曲げ線に一致させることが好ましい。
【００１１】
主領域、副領域は、少なくとも一方を複数設けることにより、一層の多様性を実現することができる。ただし、複数の主領域は、互いに同大に設定してもよく、異なる大きさとしてもよい。複数の副領域についても同様である。
【考案を実施するための最良の形態】
【００１２】
以下、図面を以って考案の実施の形態を説明する。
【００１３】
布製ラベルは、単一色の細幅の布地１０の表面を主領域１１、副領域１２に区分してなる（図１）。ただし、図１において、矢印Ｘ、Ｙは、それぞれ布地１０の緯糸、経糸の配列方向を示す。
【００１４】
布地１０は、たとえば経糸７５〜１００ｄ、緯糸５０〜３００ｄ程度のポリエステル糸の単糸またはマルチフィラメント糸により、単一色に織り上げられている。布地１０は、平織、朱子織、綾織などの任意の織り組織を使用することができる。また、布地１０の左右両側には、もろこし組織による枕耳１０ａ、１０ａが連続的に形成されている。布地１０は、広幅織機により、枕耳１０ａ、１０ａ…を含む複数本相当の広幅の布地を一挙に製織して各枕耳１０ａの中間位置でヒートカットして細幅に仕上げてもよく、ニードル織機などの細幅織機により１本ずつ製織してもよい。
【００１５】
主領域１１、副領域１２は、布地１０の縦方向に、布地１０を２分して区分するように配置されている。なお、主領域１１、副領域１２の境界１３は、目視不能な仮想線であり、布地１０の緯糸の配列方向に一致している。
【００１６】
主領域１１には、ジャカードにより任意の図柄Ａが織り出されている。ただし、図柄Ａは、布地１０と異なる色彩の緯糸を使用し、ジャカードにより任意の形態に織り出すものとする。図柄Ａを織り出すための緯糸は、布地１０の１本ごとにシャットルを使用して緯入れしない限り、主領域１１の裏面側において、布地１０を左右に横切り、布地１０の左右両端にまで到達しているのが普通である。なお、図柄Ａは、単色の緯糸を使用して織り出してもよく、２色以上の多色の緯糸を使用して織り出してもよい。
【００１７】
副領域１２には、印刷により任意の図柄Ｂが表示されている。なお、印刷は、凸版印刷、スクリーン印刷の他、コンピュータ制御のプリンタによる印字などを含むものとし、その色彩は、布地１０上に鮮明に表示される限り任意であり、２色以上の多色印刷であってもよい。
【００１８】
図１の布製ラベルは、その一辺、たとえば主領域１１の上辺をたとえば衣服の襟、裾などに縫い付けることにより、商品に添付することができる。また、布製ラベルは、主領域１１の上辺、副領域１２の下辺に沿って、裏面側に小幅の折返し１１ａ、１２ａを設け（図２（Ａ））、折返し１１ａ、１２ａとともに衣服などに縫い付けてもよい。なお、主領域１１、副領域１２の境界１３に沿って折り曲げ加工し（同図（Ｂ））、主領域１１の上辺部分、副領域１２の下辺部分を重ねて衣服などに縫い付けてもよい。また、境界１３に沿って折り曲げ加工した上（同図（Ｃ））、さらに主領域１１、副領域１２の各先端に内向きの折返し１１ａ、１２ａを設けてもよい。ただし、図２（Ｂ）、（Ｃ）において、主領域１１、副領域１２の図柄Ａ、Ｂは、互いに天地を逆にして、両者の下側が境界１３に対応するように表示することが好ましい。
【００１９】
主領域１１のジャカードによる図柄Ａは、十分な高級感を実現することができ、副領域１２の印刷による図柄Ｂは、細かい文字情報等を十分鮮明に表示することができる。
【他の実施の形態】
【００２０】
布地１０上の主領域１１、副領域１２は、異なる大きさにすることができる（図３（Ａ））。また、主領域１１、副領域１２は、少なくとも一方を２以上の複数としてもよい。たとえば、図３（Ｂ）では、主領域１１の数を２としており、同図（Ｃ）では、主領域１１、副領域１２の双方の数をそれぞれ２としている。なお、複数の主領域１１または副領域１２は、それぞれ互いに同大としてもよく（同図（Ｃ））、異なる大きさとしてもよい（同図（Ｂ））。ただし、図３において、布地１０の枕耳１０ａ、１０ａ、図柄Ａ、Ｂは、図示が省略されている。
【００２１】
主領域１１、副領域１２は、布地１０の横方向に配置してもよい（図４）。このとき、主領域１１、副領域１２の境界１３は、布地１０の経糸の配列方向に一致している。なお、主領域１１の図柄Ａを形成する緯糸は、図柄Ａの範囲内で左右に折り返し、少なくとも副領域１２の裏面側にまで及ばないように、シャットルにより左右に折り返しながら連続的に緯入れすることが好ましい。ただし、図４において、主領域１１、副領域１２は、必ずしも同大でなくてもよく、したがって、両者の境界１３は、布地１０の中央から左右に偏ってもよい。
【００２２】
また、布地１０の横方向に配置する主領域１１、副領域１２は、それぞれ各複数組を設けてもよい（図５（Ａ）、（Ｂ））。さらに、主領域１１、副領域１２は、布地１０の縦方向、横方向の双方に混合配置してもよい（同図（Ｃ））。
【図面の簡単な説明】
【００２３】
【図１】全体表面図
【図２】使用状態を示す側面説明図
【図３】他の実施の形態を示す模式表面図（１）
【図４】他の実施の形態を示す図１相当図
【図５】他の実施の形態を示す模式表面図（２）
【符号の説明】
【００２４】
Ａ、Ｂ…図柄
１０…布地
１１…主領域
１２…副領域
実用新案登録出願人      有限会社  森田織ネーム
代理人  弁理士                  松  田  忠  秋
【図１】
0003122534.tif 000003
【図２】
0003122534.tif 000004
【図３】
0003122534.tif 000005
【図４】
0003122534.tif 000006
【図５】
0003122534.tif 000007